(57)【要約】      （修正有）【課題】セフティーシューの存在を認識させて注意を喚起することができると共に、さらに乗りかごの移動方向を認識させて利便性を高めることができるエレベータのドア装置を提供する。【解決手段】ドアパネル１５ａに設けられたセフティーシュー１６の突出側縁部にその上下方向に並んで配設された複数のＬＥＤ２１からなる発光装置２０を設け、乗りかご６がエレベータ乗り場に着床してドアパネル１５ａが開閉する際に、発光装置２０の複数のＬＥＤ２１を、着床後における乗りかご６の移動方向を示すパターン、すなわち着床後における乗りかご６の移動方向が下階方向である場合には最上部のＬＥＤ２１から最下部のＬＥＤ２１に向かって順々に発光するパターン、着床後における乗りかご６の移動方向が上階方向である場合には最下部のＬＥＤ２１から最上部のＬＥＤ２１に向かって順々に発光するパターンで点灯させる。【選択図】図２
2008068987.tif 000002
【特許請求の範囲】
【請求項１】
エレベータの乗りかごの出入口を開閉するドアパネルと、
前記ドアパネルの戸当り側の縁部に突没可能に設けられ、前記ドアパネルが閉じ方向に移動する途中に没入方向に移動したときに前記ドアパネルを開き方向に移動させる強制開放用のセフティーシューと、
前記セフティーシューの突出側縁部にその上下方向に並んで配設された複数の光源からなる発光装置と、
前記乗りかごがエレベータ乗り場に着床して前記ドアパネルが開閉する際に、前記発光装置の複数の光源を、着床後における乗りかごの移動方向を示すパターンで点灯させる制御手段と、
を具備することを特徴とするエレベータのドア装置。
【請求項２】
上下方向に並んだ前記発光装置の各光源はＬＥＤからなり、着床後における乗りかごの移動方向が下階方向である場合には、その最上部のＬＥＤから最下部のＬＥＤに向かって順々に発光するパターンで点灯し、着床後における乗りかごの移動方向が上階方向である場合には、その最下部のＬＥＤから最上部のＬＥＤに向かって順々に発光するパターンで点灯することを特徴とする請求項１に記載のエレベータのドア装置。
【請求項３】
前記発光装置の各ＬＥＤが発光するときには点滅状態で発光し、その点滅の間隔が、前記ドアパネルが開き始めてから閉じ終わるまでの間に逐次変化することを特徴とする請求項２に記載のエレベータのドア装置。
【請求項４】
前記発光装置に基づいて着床後における乗りかごの移動方向が示されときに、これに併せて乗りかごの着床後の移動方向を音声によるガイダンスで報知する報知手段を有することを特徴とする請求項１ないし３のいずれかに記載のエレベータのドア装置。
【発明の詳細な説明】
【技術分野】
【０００１】
この発明は、エレベータの乗りかごの出入口を開閉するドア装置に関する。
【背景技術】
【０００２】
エレベータの乗りかごの出入口にはドア装置が設けられている。このドア装置は左右に移動して前記出入口を開閉するドアパネルを備え、このドアパネルの戸当り側縁部には強制戸開用のセフティーシューが設けられている。
【０００３】
このセフティーシューはドアパネルの縁部に突没可能に設けられ、ドアパネルの開閉動作時にはドアパネルの縁部から一定寸法だけ弾性的に突出するように支持されている。そしてドアパネルが閉じかけてセフティーシューが乗客の体や荷物に当ると、ドアパネルの戸当りの反対側に没入するように移動し、この移動でスイッチが作動し、閉じかけたドアパネルが開く方向に移動するように制御され、これにより乗客がドアパネルに挟まれずに済み、安全が確保される。
【０００４】
そして特開平７−１３７９７０号公報に見られるように、乗客にセフティーシューの存在を認識させるために、セフティーシューに発光装置を組み込み、光でセフティーシューの存在を明確に認識させて注意を喚起する技術が提案されている。
【特許文献１】特開平７−１３７９７０号公報
【発明の開示】
【発明が解決しようとする課題】
【０００５】
しかしながら、特開平７−１３７９７０号公報のものは、ただ単にセフティーシューに複数の電球を組み込み、その点灯で乗客にセフティーシューの存在を認識させるだけでそれ以上の機能がない。
【０００６】
この発明はこのような点に着目してなされたもので、その目的とするところは、セフティーシューの存在を認識させて注意を喚起することができると共に、さらに乗りかごの移動方向を認識させて利便性を高めることができるエレベータのドア装置を提供することにある。
【課題を解決するための手段】
【０００７】
請求項１の発明は、エレベータの乗りかごの出入口を開閉するドアパネルと、前記ドアパネルの戸当り側の縁部に突没可能に設けられ、前記ドアパネルが閉じ方向に移動する途中に没入方向に移動したときに前記ドアパネルを開き方向に移動させる強制開放用のセフティーシューと、前記セフティーシューの突出側縁部にその上下方向に並んで配設された複数の光源からなる発光装置と、前記乗りかごがエレベータ乗り場に着床して前記ドアパネルが開閉する際に、前記発光装置の複数の光源を、着床後における乗りかごの移動方向を示すパターンで点灯させる制御手段とを具備することを特徴としている。
【０００８】
請求項２の発明は、上下方向に並んだ前記発光装置の各光源がＬＥＤからなり、着床後における乗りかごの移動方向が下階方向である場合には、その最上部のＬＥＤから最下部のＬＥＤに向かって順々に発光するパターンで点灯し、着床後における乗りかごの移動方向が上階方向である場合には、その最下部のＬＥＤから最上部のＬＥＤに向かって順々に発光するパターンで点灯することを特徴としている。
【０００９】
請求項３の発明は、前記発光装置の各ＬＥＤが発光するときには点滅状態で発光し、その点滅の間隔が、前記ドアパネルが開き始めてから閉じ終わるまでの間に逐次変化することを特徴としている。
【００１０】
請求項４の発明は、前記発光装置に基づいて着床後における乗りかごの移動方向が示されときに、これに併せて乗りかごの着床後の移動方向を音声によるガイダンスで報知する報知手段を有することを特徴としている。
【発明の効果】
【００１１】
この発明によれば、セフティーシューの存在を認識させて注意を喚起することができると共に、さらに乗りかごの移動方向を認識させて利便性を高めることができる。
【発明を実施するための最良の形態】
【００１２】
以下、この発明の実施の形態について図面を参照して説明する。
【００１３】
図１には、エレベータの全体の構成を示してあり、建物の昇降路１の上部には機械室２が設けられ、この機械室２内に巻上機３が設置されている。巻上機３はトラクションシーブ４を備え、このトラクションシーブ４にメインロープ５が巻き掛けられている。メインロープ５の両端側は昇降路１内に引き落とされ、その一方側の端末に乗りかご６が、他端側の端末につり合い重り７がそれぞれ連結され、これら乗りかご６及びつり合い重り７が昇降路１内に吊り下げられている。そして巻上機３が起動し、トラクションシーブ４が回転してメインロープ５が走行することにより乗りかご６とつり合い重り７が昇降路１内で互いに逆方向に昇降移動する。
【００１４】
機械室２にはエレベータを制御する制御手段としての制御盤１０が設けられ、この制御盤１０と乗りかご６とがテールコード１１で連結され、このテールコード１１を介して乗りかご６への給電および乗りかご６と制御盤１０との間での各種の信号の授受が行なわれる。前記巻上機３は前記制御盤１０により制御される。
【００１５】
図２には乗りかご６を正面側から見た斜視図を示してあり、この乗りかご６は正面に出入口１３を有し、この出入口１３にその開閉用のドア装置１４が設けられている。このドア装置１４は、例えば一対のドアパネル１５ａ，１５ｂが敷居１２に沿って左右に移動して出入口１３を開閉する両開き式構造となっている。そして一方のドアパネル１５ａの戸当り側の縁部には強制戸開用のセフティーシュー１６が設けられている。
【００１６】
このセフティーシュー１６は、図３に示すようにドアパネル１５ａの縁部に沿うように配置されていると共に、一対の支持アーム１７を介してドアパネル１５ａに平行移動可能に支持され、その平行移動でドアパネル１５ａの縁部に対して突没するようになっている。
【００１７】
このセフティーシュー１６は通常時には弾性部材（図示せず）を介してドアパネル１５ａの縁部から一定寸法だけ戸当り側に弾性的に突出するように付勢され、ドアパネル１５ａが閉じかける途中にセフティーシュー１６が乗客の体や荷物に当ると、セフティーシュー１６が前記弾性部材に抗してドアパネル１５ａの後方側に没入するように移動し、この移動でスイッチ１８が作動し、このスイッチ１８の作動でドアパネル１５ａ，１５ｂが戸開方向に戻るように制御される。
【００１８】
セフティーシュー１６には、発光装置２０が設けられている。この発光装置２０は光源としての複数のＬＥＤ２１で構成されている。これらＬＥＤ２１は、セフティーシュー１６の先端側の端面に、その長手方向に沿って１列に並ぶように取り付けられている。これらＬＥＤ２１は乗りかご６のテールコード１１を通して制御手段としての制御盤１０に接続され、その点灯と消灯が制御盤１０を介して制御されるようになっている。
【００１９】
次に作用について、図４に示す動作工程図を参照して説明する。
【００２０】
乗りかご６が昇降移動し、乗客が待つ目的階のエレベータ乗り場に着床すると（Ｓ１）、乗りかご６のドアパネル１５ａ，１５ｂが開き始める（Ｓ２）。ドアパネル１５ａ，１５ｂが開き始めると、セフティーシュー１６の発光装置２０のＬＥＤ２１が所定のパターンで点灯するように制御される（Ｓ３）。すなわち、エレベータ乗り場に着床した乗りかご６がその着床後に下階方向に移動するのか上階方向に移動するのかが制御盤１０により認識され、下階方向に移動すると認識されたときには、図５（Ａ）〜（Ｄ）に示すようにセフティーシュー１６に沿って上下方向に並んだＬＥＤ２１がその最上部から最下部に向う下側の向きに順々に発光するパターンで点灯するように制御される。
【００２１】
また、乗りかご６が着床後に上階方向に移動すると認識されたときには、セフティーシュー１６に沿って上下方向に並んだＬＥＤ２１がその最下部から最上部に向う上側の向きに順々に発光するパターンで点灯するように制御される。
【００２２】
ドアパネル１５ａ，１５ｂが開いて乗りかご６に対する乗客の乗降が終了すると（Ｓ４）、ドアパネル１５ａ，１５ｂが閉じかけ（Ｓ５）、ドアパネル１５ａ，１５ｂの閉合が確認されると（Ｓ６）、発光装置２０のパターン点灯が停止し、各ＬＥＤ２１が消灯する（Ｓ７）。発光装置２０のＬＥＤ２１は、ドアパネル１５ａ，１５ｂが開き始めてから閉じ終わるまでの間、前記パターンの点灯動作を複数回繰り返すように制御される。
【００２３】
そしてドアパネル１５ａ，１５ｂの閉じ終わりが確認された後に発光装置２０の各ＬＥＤ２１が消灯し、乗りかご６が下階方向あるいは上階方向に移動する（Ｓ８）。
【００２４】
このように、乗りかご６がエレベータ乗り場に着床してドアパネル１５ａ，１５ｂが開き始めてから閉じ終わるまで、セフティーシュー１６のＬＥＤ２１が点灯し、このため乗りかご６に対して乗降する乗客がそのドアパネル１５ａ，１５ｂの動きを明確に認識することができる。そして、ＬＥＤ２１が強制戸開用のセフティーシュー１６に配設されているためそのセフティーシュー１６を視覚的に明確に認識して、ドアパネル１５ａ，１５ｂが閉じかけて乗客の体や荷物に当ろうとするときに、即座にそのセフティーシュー１６を手で押し込んでドアパネル１５ａ，１５ｂを戸開方向に自動的に退避させ、ドアパネル１５ａ，１５ｂと乗客との直接の接触を避けることができる。
【００２５】
セフティーシュー１６に配設されたＬＥＤ２１は、上下に並び、着床後の乗りかご６が下階方向に移動するときには上から下に向かって順々に点灯するパターンで点灯し、着床後の乗りかご６が上階方向に移動するときには下から上に向かって順々に点灯するパターンで点灯し、このため乗りかご６に乗り込もうとする乗客はその点灯のパターンのイメージで乗りかご６の移動方向が下階方向であるか上階方向であるかを明確に判断でき、もし望みの移動方向でない場合には乗り込みを中止でき、意に反する行先に誤って移動してしまうようなことがなく、したがって利便性が高まる。
【００２６】
なお、前記ＬＥＤ２１が発光するときには点滅状態で発光させ、その点滅の間隔が、ドアパネル１５ａ，１５ｂが開き始めてから閉じ終わるまでの間に逐次変化するように制御することも可能である。すなわち、例えばドアパネル１５ａ，１５ｂが開き始めのときに発光するＬＥＤ２１の発光の点滅間隔は比較的長い例えば１秒間とし、ドアパネル１５ｂ，１５ｂが開き終わり閉じかける動作に移行するにつれてその時点で発光するＬＥＤ２１の点滅間隔が１秒間より短い間隔となるように制御盤１０からの制御信号で逐次変化させるようにする。
【００２７】
この場合には、ＬＥＤ２１の点灯のパターンのイメージで着床後の乗りかご６の移動方向を知ることができると共に、ＬＥＤ２１の点滅の間隔の変化でドアパネル１５ａ，１５ｂが開く動作中なのか閉じかけているのかをイメージでき、乗りかご６に対する乗り降りの利便性がより高まる。
【００２８】
また、ＬＥＤ２１の点灯のパターンで着床後の乗りかご６の移動方向を示すときには、これと併せてエレベータ乗り場や乗りかご６に設けられているスピーカーを通して音声によるガイダンスで乗りかご６の移動方向を報知するように構成することも可能である。
【００２９】
この場合には、ＬＥＤ２１の点灯のパターンで着床後の乗りかご６の移動方向を視覚を通して知ることができると共に、音声によるガイダンスで着床後の乗りかご６の移動方向を聴覚を通して知ることができる。
【００３０】
前記実施形態では、発光装置の光源をセフティーシューの縁部に沿って１列に並ぶように配列させたが、２列あるいはそれ以上の列で並ぶように配列させる場合であってもよい。また、光源の発光色はいずれの色であってもよく、さらにドアパネルが開くときと閉じるときとで発光する色を異ならせるようにすることも可能である。
【００３１】
乗りかごのドア装置としては、複数のドアパネルが左右に移動する両開き構造の場合に限らず、複数のドアパネルがそれぞれ同じ方向に移動して出入口を開閉する片開き式構造の場合であっても、あるいは１枚のドアパネルのみで出入口を開閉する構造の場合であってもよい。
【図面の簡単な説明】
【００３２】
【図１】この発明の一実施形態に係るエレベータの全体の構成図。
【図２】そのエレベータの乗りかごの斜視図。
【図３】その乗りかごのセフティーシューの取付構造を示す正面図。
【図４】この発明の一実施形態の作用を説明するための動作工程図。
【図５】発光装置の点灯パターンの一例を示す説明図。
【符号の説明】
【００３３】
１…昇降路
３…巻上機
６…乗りかご
７…つり合い重り
１０…制御盤
１３…出入口
１４…ドア装置
１５ａ．１５ｂ…ドアパネル
１６…セフティーシュー
１７…支持アーム
１８…スイッチ
２０…発光装置
２１…ＬＥＤ（光源）
【図１】
2008068987.tif 000003
【図２】
2008068987.tif 000004
【図３】
2008068987.tif 000005
【図４】
2008068987.tif 000006
【図５】
2008068987.tif 000007